(57)【要約】【課題】両替時に金種と枚数の入力の煩わしさをなくし、また入金金種と枚数から出金される金種と枚数を容易に計算できるようにして両替のパターンを確認する必要もなくす。【解決手段】両替処理時に、十分の１の金種への両替または百分の１の金種への両替を選択可能な画面を表示部３に表示して利用者に選択させ、利用者が硬貨処理機１や紙幣処理機２投入した入金現金を計数して、入金現金の金種に対して十分の１の金種または百分の１の金種に換算し、換算した金種の現金を両替金として出金する。【選択図】図１
2007323518.tif 000002
【特許請求の範囲】
【請求項１】
入金金種に対して、十分の１の金種への両替と百分の１の金種への両替の少なくとも一方の両替を選択可能とし、
その両替が選択されたとき、入金現金の金種に対して十分の１の金種または百分の１の金種に換算して、換算した金種の現金を両替金として出金することを特徴とする現金処理装置。
【請求項２】
請求項１に記載の現金処理装置において、
十分の１の金種または百分の１の金種に換算できない現金が入金されたとき、その現金は返却し、十分の１の金種または百分の１の金種に換算できる現金についてのみ両替を行うことを特徴とする現金処理装置。
【発明の詳細な説明】
【技術分野】
【０００１】
本発明は、両替機能（入金及び出金機能）を有する現金処理装置に関するもので、特に簡単な操作で両替を行うことが可能な現金処理装置に関する。
【背景技術】
【０００２】
従来の両替機能を有する現金処理装置として、利用者が出金を希望する金種及び枚数をキー入力によりで指定することで両替を実行するものや（例えば、特許文献１参照）、予め出金する複数の金種及び各金種の枚数を組み合わせた複数の両替パターンを用意して、各パターンに対応するボタンを設け、利用者にボタンの押下でパターンを選択させて、硬貨処理部や紙幣処理部により両替を実行するものがある（例えば、特許文献２参照）。
【特許文献１】特開昭６３−３０７５１９号公報（第２頁左下欄第１３行〜第３頁右下欄第１行、第１図）  特開平６−２０１２８号公報（段落「００２６」〜段落「００２９」、図２、図３）
【発明の開示】
【発明が解決しようとする課題】
【０００３】
しかしながら、上述した特許文献１による従来の技術では、利用者が両替用に入金する金額に基づいて出金を希望する金種と金種毎の枚数をその都度入力する必要があるため、操作が煩わしいという問題があり、また特許文献２による従来の技術では複数の両替パターンの内容をすべて憶えていないと、両替により出金される金種や枚数が分からず、何度もボタンを押下して表示部に表示される両替のパターンを確認しなければならないという問題がある。
【０００４】
本発明は、このような問題を解決することを課題とする。
【課題を解決するための手段】
【０００５】
そのため、本発明の現金処理装置は、入金金種に対して、十分の１の金種への両替と百分の１の金種への両替の少なくとも一方の両替を選択可能とし、その両替が選択されたとき、入金現金の金種に対して十分の１の金種または百分の１の金種に換算して、換算した金種の現金を両替金として出金することを特徴とする。
【発明の効果】
【０００６】
このようにした本発明は、出金を希望する金種と金種毎の枚数をその都度入力するという操作の煩わしさがなくなり、また複数の両替パターンの内容をすべて憶えていなくとも、入金金種と枚数から出金される金種と枚数を容易に計算できるので、何度もボタンを押下して両替のパターンを確認する必要もなくなるという効果が得られる。
【発明を実施するための最良の形態】
【０００７】
以下、図面を参照して本発明による現金処理装置の実施例を説明する。
【実施例】
【０００８】
図１は実施例の構成を示すブロック図である。
本実施例の現金処理装置は、例えばレジスタを使用する小売店等に設置され、レジスタで使用する釣銭準備金を出金したりレジスタから回収した売上金の入金を行うために入出金機能を持たせたレジスタ対応の入出金装置や、金融機関の営業店に設置される自動取引装置（ＡＴＭ）、あるいは両替専用装置等として利用できるものである。
【０００９】
図において１は硬貨（現金）の入出金処理を行う硬貨処理機１、２は紙幣（現金）の入出金処理を行う紙幣処理機２である。
硬貨処理機１は、複数枚の硬貨を一括して受け入れる硬貨入金口１１と、この硬貨入金口１１に受け入れた硬貨を１枚ずつ分離する図示しない分離部と、硬貨の金種等を鑑別すると共に鑑別した硬貨を金種毎に計数する硬貨鑑別部１２と、この硬貨鑑別部１２で鑑別計数された硬貨を一時保留する一時保留部１３と、出金する硬貨を金種別に収納する複数の硬貨収納庫（現金収納庫）１４、回収する硬貨を金種別に収納する硬貨回収庫（現金回収庫）１５と、硬貨を利用者に出金（払出し）するための硬貨出金箱１６と、硬貨返却口１７と、硬貨処理機１からの硬貨回収庫１５の着脱を確認するためのセンサと、図示しない記憶部に格納された制御プログラムに基づいて硬貨処理機１全体の動作制御を行う制御部１８を有している。
【００１０】
ここで一時保留部１３、硬貨収納庫１４、硬貨回収庫１５、及び硬貨出金箱１６は硬貨を金種毎に分けて集積、収納できるように内部が区切られている。
また、硬貨入金口１１と硬貨鑑別部１２との間には分離部により分離された硬貨を搬送する搬送ベルト等による搬送路が設けられ、釣銭用硬貨収納庫１４と硬貨回収庫１５及び硬貨出金箱１６との間には、釣銭用硬貨収納庫１４から繰出された硬貨を硬貨回収庫１５と硬貨出金箱１６のいずれかに導く振分け手段と、通過する硬貨を金種毎に計数する計数手段が設けられている。
【００１１】
また、前記各硬貨収納庫１４には硬貨を搬送路に繰出す繰出し手段が設けられている。
一方、紙幣処理機２は、複数枚の紙幣を一括して受け入れると共に出金処理時や両替時に釣銭としての紙幣を排出する紙幣入出金口２１と、この紙幣入出金口２１に受け入れた紙幣を１枚ずつ分離する図示しない分離部と、紙幣の金種等を鑑別すると共に鑑別した紙幣を金種毎に計数する紙幣鑑別部２２と、この紙幣鑑別部２２で鑑別計数された紙幣を集積して一時保留する一時保留部２３と、出金する紙幣を金種別に収納する紙幣収納庫２４と、回収紙幣を金種別に収納する紙幣回収庫（現金回収庫）２５と、紙幣リジェクト庫２６と、これらの間で紙幣を搬送ベルト等で挟持して搬送する搬送路と、紙幣処理機２からの紙幣回収庫２５の着脱を確認するためのセンサと、図示しない記憶部に格納された制御プログラムに基づいて紙幣処理機２全体の動作制御を行う制御部２７を備えている。
【００１２】
尚、一時保留部２３には紙幣を繰出す繰出し手段が設けられており、また各紙幣収納庫２４にも紙幣の集積手段が紙幣を搬送路に繰出す繰出し手段と共に設けられている。
３はＬＣＤ等による表示部で、各種の処理操作の案内、現金処理のための入力画面や入力された情報、及び金種別の入出金金額や入出金の合計金額等を表示する。
４はレジスタの現金を入出金するレジ担当者や売上の締めを行う管理者が操作するキーボード等の操作部で、入金処理や、出金処理、締上げ処理、回収処理等の実行の指示（入力）や金額等を入力するためのテンキー等を備えている。
【００１３】
尚、キーボードに代えて表示部２上にタッチパネルを配置して操作部４とすることも可能である。
５はカードリーダで、当該現金処理装置の利用者が携帯するＩＤカードの情報を読取る機能を有している。
６は伝票記録部（プリンタ）で、硬貨処理機１や紙幣処理機２で行われた入金処理や出金処理あるいは両替処理の金額、金種別枚数等を伝票に記録（印字）して出力するものである。
【００１４】
７は記憶部で、入金・出金・両替等の取引処理履歴、回収庫交換履歴、収納庫入出金履歴、回収庫入金履歴等を記憶する他、両替時に入金現金の金種に対して十分の１及び百分の１の金種に換算するための金種換算テーブルと、硬貨と紙幣の各金種毎の出金可能枚数を記憶した金種別出金可能枚数テーブルが格納されている。
また、この記憶部７には後述する主制御部が実行する制御プログラムも格納されている。
【００１５】
８は記憶部７に格納された制御プログラムに基づいて装置全体の動作制御を行う主制御部で、本実施例では記憶部７に記憶される取引処理履歴等を管理し、必要に応じてこれらの履歴情報の書込みや更新を行う他、特に本実施例においては硬貨処理機１や紙幣処理機２で行われた入金処理や出金処理に基づいて金種別出金可能枚数テーブルに記憶される硬貨と紙幣の各金種毎の出金可能枚数を更新して管理し、金種換算テーブルに基づいて両替金の出金を制御する機能を有している。
【００１６】
尚、硬貨処理機１の制御部１８及び紙幣処理機２の制御部２７はこの主制御部８の指示により硬貨処理機１及び紙幣処理機２を制御するものとなっている。
図２は記憶部７に格納された金種換算テーブルを示す図で、図示したように両替時に入金される現金の各金種に対して、十分の１の金種と、百分の１の金種が設定されている。
尚、入金金種の二千円紙幣、５円硬貨、及び１円硬貨は、十分の１及び百分の１に該当する金種が存在しないので、両替不可（ＮＧ）となっており、また入金金種の５０円硬貨、及び１０円硬貨については、百分の１に該当する金種が存在しないので、この金種は両替不可（ＮＧ）となっている。
【００１７】
図３は記憶部７に格納された金種別出金可能枚数テーブルの例を示す図である。
この図に示すように金種別出金可能枚数テーブルには、両替対象の出金現金として定められた五千円券（紙幣）、千円券（紙幣）、５００円硬貨、１００円硬貨、５０円硬貨、１０円硬貨、５円硬貨、１円硬貨について、金種別の硬貨収納庫１４及び紙幣収納庫２４における現在の硬貨及び紙幣の収納枚数が金種毎に出金可能枚数として記憶されている。
【００１８】
この金種別の硬貨及び紙幣の出金可能枚数は、本現金処理装置で行われる入金、補充、出金等の取引処理により硬貨収納庫１４及び紙幣収納庫２４に対して硬貨及び紙幣が収納あるいは出金される毎に主制御部８により金種別に加算あるいは減算され、これにより各金種の出金可能枚数値が更新される。
上述した構成の作用として両替処理について説明する。
【００１９】
図４は両替処理の手順を示すフローチャートで、図中のＳはステップを示し、以下このステップに従って説明する。
尚、以下に説明において、主制御部８や制御部１８、２７による制御の説明については、必要な説明を除いて省略する。
まず、利用者が現金処理装置のカードリーダ５に設けられているカード挿入排出口に挿入すると、カードリーダ５がカードに記録されている利用者の情報を読取り（Ｓ１）、主制御部８はその情報と予め記憶部７等に登録されている所定の情報をまたは図示しない上位装置が装置利用の正当性を判断する。
【００２０】
尚、カードから読取った情報を図示しない上位装置に送り、上位装置で正当性を判断して主制御部８に通知するようにしてもよい。
正当性が確認された場合、取引を選択する選択するメニュー画面を表示部３に表示し（Ｓ２）、利用者に選択させる。
ここで利用者が操作部４を操作して「両替」を選択すると、主制御部８はその「両替」の選択を受付けて（Ｓ３）、両替方法を選択する両替方法選択画面を表示部３に表示し、利用者に選択させる。
【００２１】
図５はこのときの両替方法選択画面例を示す図で、「１.登録済みの両替パターンから選択」、「２．入金金種を十分の１の金種に両替」、「３．入金金種を百分の１の金種に両替」、「４．金種と枚数を指定して両替」の４通りの両替方法を選択できるようになっている。
このうちの１と４の登録済みの両替パターンから選択及び金種と枚数を指定して両替は従来から行われている方法であるのでその説明は省略し、ここでは２の入金金種を十分の１の金種に両替、または３の入金金種を百分の１の金種に両替画選択されたものとする。
【００２２】
主制御部８は「２．入金金種を十分の１の金種に両替」または「３．入金金種を百分の１の金種に両替」の両替方法が選択されると、その選択を受付受付けて（Ｓ４）、現金の投入を促すメッセージを配した案内画面を表示部３に表示すると共に、硬貨処理機１及び紙幣処理機２に両替処理を指示し、この指示により硬貨処理機１及び紙幣処理機２は硬貨入金口１１及び紙幣入出金口２１に設けられているシャッタをそれぞれ開放する。
【００２３】
そして利用者が表示部３に表示された案内画面を見て両替用の硬貨または紙幣あるいはその両方を硬貨入金口１１及び紙幣入出金口２１に投入すると、硬貨処理機１及び紙幣処理機２はシャッタを閉じ、硬貨鑑別部１２及び紙幣鑑別部２２で鑑別、計数して硬貨一時保留部１３及び紙幣一時保留部２３に一時保留する（Ｓ１５）。
投入されたすべての硬貨及び紙幣を計数して一時保留すると、硬貨処理機１及び紙幣処理機２の制御部１８及び２７は計数結果を主制御部８に通知する。
【００２４】
主制御部８は通知された計数結果から計数金種と金種毎の枚数を認識し、その金種と枚数及び利用者が選択した両替方法を記憶部７に記憶された両替換算テーブル（図３参照）と照合して、出金すべき金種と枚数を換算する（Ｓ６）。
例えば、利用者が選択した両替方法が十分の１の金種に両替で、計数された金種及び枚数が万円券１枚、千円券２枚の場合、１枚の万円券に対して千円券１０枚、２枚の千円券に対して１００円硬貨２０枚を出金する金種及び枚数として換算する。
【００２５】
また、利用者が選択した両替方法が百分の１の金種に両替で、計数された金種及び枚数が万円券１枚、千円券２枚の場合、１枚の万円券に対して１００硬貨１００枚、２枚の千円券に対して１０円硬貨２００枚を出金する金種及び枚数として換算する。
尚、例えば、利用者が選択した両替方法が十分の１の金種または百分の１の金種に両替で、計数された金種及び枚数が万円券１枚、５円硬貨１０枚だった場合、５円硬貨は図２に示したように両替の対象外の金種であるので、この５円硬貨１０枚は硬貨返却口１７から利用者に返却し、万円券１枚について金種と枚数を算出する。
【００２６】
このようにして出金する金種及び枚数を換算すると、続いて主制御部８はその金種及び枚数を記憶部７の金種別出金可能枚数テーブル（図３参照）に記憶された金種及び枚数と比較して、両替可能か否かを判断する（Ｓ７）。
そして、換算した金種の枚数に対して枚数が足りない金種があれば、両替は不可である旨及び現金を返却するメッセージを表示部３に表示し、硬貨処理機１は硬貨一時保留部１３の硬貨を硬貨返却口１７から返却すると共に、紙幣処理機２は紙幣一時保留部２３の紙幣を紙幣入出金口２１から利用者に返却する（Ｓ８）。
【００２７】
一方、換算した金種の枚数に対して枚数が足りない金種がなく、両替（出金）が可能であれば主制御部８は計数結果と両替内容を表示部３に表示し、内容の確認を促す（Ｓ９）。
図６はこのときの両替内容の表示画面例を示す図で、同図（ａ）は入金金種を十分の１の金種に両替する場合、同図（ｂ）は入金金種を百分の１の金種に両替する場合であり、入金額１２,０００円（万券１枚、千券２枚）に対して、十分の１の金種に両替する場合は、千円券１０枚、百円硬貨２０枚を両替金として出金する内容、百分の１の金種に両替する場合は、百円硬貨１００枚、十円硬貨２００枚を両替金として出金する内容が表示される。
【００２８】
利用者がこの両替内容を確認し（Ｓ１０）、操作部４を操作して取消しを指定すると、硬貨処理機１は硬貨一時保留部１３の硬貨を硬貨返却口１７から利用者に返却すると共に、紙幣処理機２は紙幣一時保留部２３の紙幣を紙幣入出金口２１から利用者に返却する（Ｓ８）。
また、利用者が操作部４を操作して確認（承認）を指定すると、硬貨処理機１は硬貨一時保留部１３の硬貨を硬貨収納庫１４に金種別に収納すると共に、紙幣処理機２は紙幣一時保留部２３の紙幣を紙幣収納庫２４に金種別に収納する。
【００２９】
そして硬貨処理機１は前記両替内容に従って両替金を該当する金種の硬貨収納庫１４から硬貨を繰出し、計数して硬貨出金箱１６へ金種別に放出すると共に、紙幣処理機２も前記両替内容に従って両替金を該当する金種の紙幣収納庫２４から紙幣を繰出し、紙幣鑑別部２２で金種の鑑別、計数を行って紙幣入出金口２１へ集積する（Ｓ１１）。
その後、主制御部８は記憶部７の取引処理履歴や入手金履歴等に書込みを行い、また金種別出金可能枚数テーブルの金種別出金可能枚数を更新する（Ｓ１２）。
【００３０】
この金種別出金可能枚数については、前記のように万券１枚、千円券２枚が入金された、万円券の枚数に「１」、千円券の枚数に「２」がそれぞれ加算される。そして、十分の１の金種に両替して出金する場合は、千円券の枚数から「１０」、百円硬貨の枚数から「２０」がそれぞれ減算され、また百分の１の金種に両替する場合は、百円硬貨の枚数から「１００」、十円硬貨の枚数から「２００」がそれぞれ減算される。
【００３１】
その後、伝票記録部６が主制御部８の指示により両替の明細を伝票（レシート）に印字して伝票発行口から発行し（Ｓ１３）、そして現金及び伝票を受取るように促すメッセージを配した案内画面を表示部３に表示する。
これにより利用者が伝票を受取ると共に、硬貨出金箱１６を硬貨処理機１から抜取って硬貨を取り出し、また紙幣がある場合は、シャッタが開かれている紙幣入出金口２１から紙幣を抜取る。
【００３２】
以上説明した実施例によれば、両替処理時に、入金金種に対して十分の１の金種の両替、または百分の１の金種の両替を選択できるようにし、これらが選択された場合、入金金種と枚数に対し、出金する金種と枚数を換算して、両替金を出金するようにしているため、出金を希望する金種と金種毎の枚数をその都度入力するという操作の煩わしさがなくなり、また複数の両替パターンの内容をすべて憶えていなくとも、入金金種と枚数から出金される金種と枚数を容易に計算できるの、何度もボタンを押下して両替のパターンを確認する必要もなくなるという効果が得られる。
【００３３】
尚、尚上述した実施例では、入金金種に対して十分の１の金種の両替と百分の１の金種の両替の両替を選択できるものとして説明したが、少なくとも一方のみ選択できるようにして両替を実行するように構成することも可能である。
また、同一金種の１００枚の紙幣を帯封した束紙幣や、同一金種の５０枚の硬貨を棒状に包装した棒金を出金可能とした束紙幣出金機や棒金出金機を設けて、両替処理時に同一金種の１００枚以上の紙幣の出金や、同一金種の５０枚以上の硬貨の出金がある場合、束紙幣や棒金で両替金の出金を行うようにすることも可能である。
【図面の簡単な説明】
【００３４】
【図１】実施例の構成を示すブロック図
【図２】両替金換算テーブル
【図３】金種別出金可能枚数テーブルの例を示す図
【図４】実施例の作用を示すフローチャート
【図５】両替方法選択画面例を示す図
【図６】両替内容表示例を示す図
【符号の説明】
【００３５】
１    硬貨処理機
２    紙幣処理機
３    表示部
４    操作部
７    記憶部
８    主制御部
１１  硬貨入金口
１２  硬貨鑑別部
１３  硬貨一時保留部
１４  硬貨収納庫
１６  硬貨出金箱
１７  硬貨返却口
１４  硬貨収納庫
１８  制御部
２１  紙幣入出金口
２２  紙幣鑑別
２３  紙幣一時保留部
２４  紙幣収納庫
２７  制御部
【図１】
2007323518.tif 000003
【図２】
2007323518.tif 000004
【図３】
2007323518.tif 000005
【図４】
2007323518.tif 000006
【図５】
2007323518.tif 000007
【図６】
2007323518.tif 000008